(57)【要約】【課題】増改築時の費用負担を可能な限り低減する。【解決手段】間取りが指定された平屋建ての建物１６の構造等を演算し、上記の指定された間取りと共通の間取りを１階部分３０に有する２階建ての建物の構造等を演算し、２階建て構造の建物７０の１階部分３０の構造と仕様を、共通の間取りの平屋建ての建物１６の構造と仕様に置き換えて、補強された平屋建ての建物の構造等を演算する。さらに、補強された平屋建ての建物を改装して、２階階建て構造の建物７０にするために必要な、工事の内容と改装工事費用を演算する。そして、２階建て構造の建物７０の建築費用と、補強された平屋建ての建物の建築費用と、改装工事費用とを比較した比較表を生成し出力する。これらの演算結果と演算式は改装工事着手時期まで記憶装置に保存する。【選択図】図１
2016130988.tif 000002
【特許請求の範囲】
【請求項１】
間取りが指定された平屋建ての建物の構造と仕様と建築費用とを演算する第１の演算手段と、
上記の指定された間取りと共通の間取りを１階部分に有する複層階建ての建物の構造と仕様と建築費用とを演算する第２の演算手段と、
上記複層階建ての建物の１階部分の構造と仕様を、共通の間取りの平屋建ての建物の構造と仕様に置き換えて、補強された平屋建ての建物の構造と仕様と建築費用を演算する第３の演算手段と、
上記補強された平屋建ての建物を改装して、第２の演算手段により構造と仕様を演算した複層階建ての建物にするために必要な、工事の内容と改装工事費用を演算する第４の演算手段と、
上記第２の演算手段により演算した複層階建ての建物の建築費用と、上記第３の演算手段の演算により得られた補強された平屋建ての建物の建築費用と、上記第４の演算手段の演算により得られた改装工事費用とを比較した比較表を生成して出力する第５の演算手段と、
上記第４の演算手段による改装工事費用を求めるための演算式と、上記第２の演算手段が演算をした複層階建ての建物の構造と仕様を含む設計データとを、改装工事着手時期まで保存する記憶装置とを備えたことを特徴とする建物の建設計画提案システム。
【請求項２】
上記第２の演算手段により演算される複層階建ての建物は、総２階建て構造、部分２階建て構造、または小屋裏活用構造のいずれかであって、上記補強された平屋建ての建物は、いずれも１階部分に階段増設用区画を設けることを特徴とする請求項１に記載の建物の建設計画提案システム。
【請求項３】
上記建物は、屋根の葺き替え工事無しに２階部分を改装するために必要な天井高を有する小屋裏空間を設けたことを特徴とする請求項２に記載の建物の建設計画提案システム。
【請求項４】
上記建物は、２メートル以上の天井高を有する場所が含まれた小屋裏空間を設けたことを特徴とする請求項３に記載の建物の建設計画提案システム。
【請求項５】
上記建物の改装後の外壁には、２階に相当する部分に、完工後に窓として使用される開口が設けられることを特徴とする請求項３または４に記載の建物の建設計画提案システム。
【請求項６】
完工後に窓として使用される開口は、バルコニーの窓または掃き出し窓であることを特徴とする請求項５に記載の建物の建設計画提案システム。
【請求項７】
上記建物には自然エネルギによる発電設備もしくはその他の自家発電設備が併設されており、建物の改装時までに売電により得られる利益を上記比較表に併記することを特徴とする請求項１乃至６のいずれかに記載の建物の建設計画提案システム。
【請求項８】
コンピュータを、請求項１に記載した各手段として機能させる建物の建設計画提案プログラム。
【請求項９】
請求項８に記載の建設計画提案プログラムを記録したコンピュータで読み取り可能な記録媒体。
【発明の詳細な説明】
【技術分野】
【０００１】
本発明は、平屋建てから２階建て等への改装を経済的に容易にする建物の建設計画提案システムに関する。
【背景技術】
【０００２】
建築費用等を考慮して、当面は平屋建てを新築し、将来２階建てに増築するといった希望がある場合に、将来の増築分を見込んだ平屋建ての設計をする技術が紹介されている（特許文献１）。また、増築を見込んだ建物を建てる場合とそれ以外の場合との、構造やコストを算出し比較して提示する技術が紹介されている（特許文献２）。さらに、建物のメンテナンスの履歴を記録しさらに設計図データを保存しておいて増築のために役立てるといった技術が紹介されている（特許文献３）（特許文献４）。
【先行技術文献】
【特許文献】
【０００３】
【特許文献１】特開２０００−１９２５３８号公報
【特許文献２】特開２００２−１５７２８３号公報
【特許文献３】特開２００２−２４３２３号公報
【特許文献４】特開２００４−７０８１１号公報
【発明の概要】
【発明が解決しようとする課題】
【０００４】
既知の従来の技術には、次のような解決すべき課題があった。
将来の増築分を見込んだ平屋建ての設計では、通常の平屋建てに比べて、基礎構造や壁構造の強化が必要になる。しかしながら、構造を強化した場合には、建設コストが高くなる。当初から２階建てにした場合と比較して、増築工事も含めた総費用があまりに高くなると、この工法の採用を薦めることができない。また、将来増改築に着手する場合には、新たな設計費用が発生することがある。また、材料費や工賃が変化していると、改めて見積もり計算が必要になる。建物の建設を請け負う側としては、こうした不確定要素をできるだけ排除した提案をすることが、受注増に結びつく。
本発明は以上の点に着目してなされたもので、増改築時の費用負担を可能な限り低減することができる建物の建設計画提案システムを提供することを目的とする。
【課題を解決するための手段】
【０００５】
以下の構成はそれぞれ上記の課題を解決するための手段である。
【０００６】
＜構成１＞
間取りが指定された平屋建ての建物の構造と仕様と建築費用とを演算する第１の演算手段と、
上記の指定された間取りと共通の間取りを１階部分に有する複層階建ての建物の構造と仕様と建築費用とを演算する第２の演算手段と、
上記複層階建ての建物の１階部分の構造と仕様を、共通の間取りの平屋建ての建物の構造と仕様に置き換えて、補強された平屋建ての建物の構造と仕様と建築費用を演算する第３の演算手段と、
上記補強された平屋建ての建物を改装して、第２の演算手段により構造と仕様を演算した複層階建ての建物にするために必要な、工事の内容と改装工事費用を演算する第４の演算手段と、
上記第２の演算手段により演算した複層階建ての建物の建築費用と、上記第３の演算手段の演算により得られた補強された平屋建ての建物の建築費用と、上記第４の演算手段の演算により得られた改装工事費用とを比較した比較表を生成して出力する第５の演算手段と、
上記第４の演算手段による改装工事費用を求めるための演算式と、上記第２の演算手段が演算をした複層階建ての建物の構造と仕様を含む設計データとを、改装工事着手時期まで保存する記憶装置とを備えたことを特徴とする建物の建設計画提案システム。
【０００７】
＜構成２＞
上記第２の演算手段により演算される複層階建ての建物は、総２階建て構造、部分２階建て構造、または小屋裏活用構造のいずれかであって、上記補強された平屋建ての建物は、いずれも１階部分に階段増設用区画を設けることを特徴とする構成１に記載の建物の建設計画提案システム。
【０００８】
＜構成３＞
上記建物は、屋根の葺き替え工事無しに２階部分を改装するために必要な天井高を有する小屋裏空間を設けたことを特徴とする構成２に記載の建物の建設計画提案システム。
【０００９】
＜構成４＞
上記建物は、２メートル以上の天井高を有する場所が含まれた小屋裏空間を設けたことを特徴とする構成３に記載の建物の建設計画提案システム。
【００１０】
＜構成５＞
上記建物の改装後の外壁には、２階に相当する部分に、完工後に窓として使用される開口が設けられることを特徴とする構成３または４に記載の建物の建設計画提案システム。
【００１１】
＜構成６＞
完工後に窓として使用される開口は、バルコニーの窓または掃き出し窓であることを特徴とする構成５に記載の建物の建設計画提案システム。
【００１２】
＜構成７＞
上記建物には自然エネルギによる発電設備もしくはその他の自家発電設備が併設されており、建物の改装時までに売電により得られる利益を上記比較表に併記することを特徴とする構成１乃至６のいずれかに記載の建物の建設計画提案システム。
【００１３】
＜構成８＞
コンピュータを、構成１に記載した各手段として機能させる建物の建設計画提案プログラム。
【００１４】
＜構成９＞
構成８に記載の建設計画提案プログラムを記録したコンピュータで読み取り可能な記録媒体。
【発明の効果】
【００１５】
＜構成１の効果＞
当初から複数層建ての建物の構造と仕様を決めておくので、改装を予定した平屋建ての建物と改装を予定しないものとの比較や、改装費用の見込額を正確に算出できる。しかも、改装工事費用を求めるための演算式や設計データを改装工事着手時期まで保存して利用可能にするので、改装時の設計費用を最小限にし、改装時の費用見積もり計算も容易にできる。
＜構成２の効果＞
総２階建て構造、部分２階建て構造、または小屋裏活用構造の建物は、土地を有効利用できる。予め階段増設用区画を設けておいて、２階部分の増設工事を円滑に進めることができる。
＜構成３の効果＞
予め小屋裏空間を設けた建物は、屋根の葺き替え工事無しに２階建てへの改装工事ができ、改装費用を抑制できる。
＜構成４の効果＞
小屋裏空間に２メートル以上の天井高を有する場所が含まれていれば、２階部分の増設が可能である。
＜構成５の効果＞
改装する建物の外壁の２階に相当する部分に、完工後に窓として使用される開口が設けられると、改装工事中、そこから資材を搬入し作業者も出入りできるので、一階部分での居住者の生活を妨げずに工事が進められるという効果がある。工事費が安くなり居住者も家を空けなくてすむので、非常に経済的な設計になる。
＜構成６の効果＞
バルコニーの窓や掃きだし窓は、人が出入りできるような開口を備えており、資材の搬入用の足場としても最適である。
＜構成７の効果＞
太陽光のほか様々な自家発電設備が併設されている場合には、建物の改装時までに売電により得られる利益を改装費用に補填することができるので、これを比較表に併記する。
【図面の簡単な説明】
【００１６】
【図１】（ａ）は平屋建ての建物１６の側面図、（ｂ）は部分２階建て構造の建物７０の側面図、（ｃ）はその横断面図である。
【図２】（ａ）は補強された平屋建ての建物の１階部分の間取り図、（ｂ）はその２階部分の間取り図である。
【図３】上記のような建物の設計をして、工事費用の比較図を生成することができるコンピュータ１０の機能ブロック図である。
【図４】その演算処理機能を図解した説明図である。
【図５】（ａ）は比較表５８の一例を示す説明図、（ｂ）は小屋裏タイプの建物の別の効果を示す比較表の説明図である。
【図６】第１〜第３の演算手段の具体的な動作フローチャートである。
【図７】第４と第５の演算手段の動作フローチャートである。
【図８】（ａ）は平屋建ての建物１６の側面図、（ｂ）は総２階建て構造の建物６８の側面図、（ｃ）はその横断面図である。
【図９】（ａ）は小屋裏活用構造の建物７２の側面図、（ｂ）は増築後の建物６８の側面図、（ｃ）はその横断面図である。
【図１０】小屋裏活用構造の建物７２の縦断面図で、（ａ）は改装前、（ｂ）は改装後のものである。
【発明を実施するための形態】
【００１７】
以下、本発明の実施の形態を実施例毎に詳細に説明する。
【実施例１】
【００１８】
図１の（ａ）は平屋建ての建物１６の側面図、（ｂ）は部分２階建て構造の建物７０の側面図、（ｃ）はその横断面図である。図２の（ａ）は、補強された平屋建ての建物の１階部分の間取り図、（ｂ）はその２階部分の間取り図である。
本発明では、はじめに、施主の希望に従って平屋建ての建物１６の間取りを設計する。続いて、１階部分３０にこの間取りを備え、２階部分３２を増築した２階建て構造の建物７０を設計する。この図の例では部分２階建てであるが、後で説明するように、総２階建て等であっても手順は変わらない。
【００１９】
２階建て構造の建物７０を設計後、その１階部分３０の設計データを使用した補強された平屋建ての建物を設計する。外観は図１（ａ）の平屋建ての建物１６と変わらない。当面、この補強された平屋建ての建物を建築して、将来家族が増えた場合に、図１（ｂ）の部分２階建て構造の建物７０になるように改装工事をする。施主に対してこうしたプランを提案する。同時にその改装工事費用も計算する。
【００２０】
図２の（ａ）に示した間取り図は、補強された平屋建ての建物のものである。この図に示したように、補強された平屋建ての建物４２では、２階部分３２を増設できるように、予め階段増設用区画７４を設けてある。これがそのまま部分２階建て構造の建物７０の１階部分３０になる。即ち、１階部分３０の構造材の補強だけでなく、２階部分３２の間取り図を考慮した階段部分も含めて、補強された平屋建ての建物４２の設計をする。
【００２１】
図３は、上記のような建物の設計をして、工事費用の比較図を生成することができるコンピュータ１０の機能ブロック図である。また、図４はその演算処理機能を図解した説明図である。
図のコンピュータ１０には、演算処理装置１２と記憶装置１４とが設けられている。演算処理装置１２に設けられた５種類の演算手段２６，４０，５２，６０，６６は、それぞれコンピュータプログラムにより、コンピュータ１０に一定の機能を付与する部分である。また、記憶装置１４には、その演算処理の結果が記憶される。
【００２２】
第１の演算手段２６は、間取りが指定された平屋建ての建物１６の構造と仕様と建築費用とを演算する機能を持つ。得られた設計データ１８は、記憶装置１４に記憶させる。第２の演算手段は、上記の指定された間取りと共通の間取りを１階部分３０に有する２階（複層階）建ての建物の構造と仕様と建築費用とを演算する機能を持つ。得られた設計データ３４は、記憶装置１４に記憶させる。
【００２３】
第３の演算手段は、２階建ての建物の１階部分３０の構造と仕様を、共通の間取りの平屋建ての建物１６の構造と仕様に置き換えて、補強された平屋建ての建物４２の構造と仕様と建築費用を演算する機能を持つ。得られた設計データ４４は、記憶装置１４に記憶させる。このときの平屋建ての建物１６と２階建ての建物の１階部分３０の構造と仕様は実質同一であるが、階段室の追加とか若干の変更があるので共通という表現をして説明を進める。
【００２４】
第４の演算手段は、補強された平屋建ての建物４２を改装して、第２の演算手段４０により構造と仕様を演算した２階建ての建物にするために必要な、工事の内容と改装工事費用を演算する機能を持つ。得られた工事の内容と改装工事費用と演算式６４は、記憶装置１４に記憶させる。
【００２５】
第５の演算手段は、上記第２の演算手段４０により演算した複層階建ての建物の建築費用と、上記第３の演算手段５２の演算により得られた補強された平屋建ての建物４２の建築費用と、上記第４の演算手段６０の演算により得られた改装工事費用５６とを比較した比較表５８を生成する機能を持つ。そして、出力手段６２により、例えば、プリンタ６３やコンピュータ１０のディスプレイに工事費用の比較表５８を表示出力させる機能を持つ。
【００２６】
また、この補強された平屋建ての建物４２の建築が決まった場合には、記憶装置１４に、第４の演算手段６０による改装工事費用５６を求めるための演算式６４と、上記第２の演算手段４０が演算をした複層階建ての建物の構造と仕様を含む設計データ３４とを記憶させた状態で、改装工事着手時期まで保存するように管理される。
【００２７】
図５は、比較表５８の一例を示す説明図である。
図の（ａ）は、始めから２階建てを建てた場合と、補強された平屋建ての建物４２を建築して、その後１０年とか１５年後に２階建てに改装工事をする場合の費用を比較したものである。２階建ての建物には、お神楽タイプと小屋裏タイプとを例示した。お神楽タイプというのは、図１に示した部分２階建て構造の建物７０のことである。小屋裏タイプというのは、後で図９と図１０で説明する、２階部分の増設時に屋根工事が不要な構造の建物のことである。
【００２８】
図５（ａ）の比較表では、始めから２階建てで建築をすると２,０００万円の費用がかかるという見積もりがされている。これに対して、始めに補強された平屋建ての建物４２を建てた場合には、１,５００万円プラス補強費用７０万円で、総工費１,５７０万円になる。そして、例えば１５年後に２階建てに改装工事を行うと、改装工事費用は９００万円で、当初の建築費用と合計すると２,４７０万円になる。
【００２９】
その結果、始めから２階建てで建築をした場合と、始めに補強された平屋建ての建物４２を建てた後に２階建に改装工事をした場合とを比較すると、４７０万円の差額ができるということがわかる。この差額を十分に施主に説明をした上で、最適な建築計画を進めることができる。
【００３０】
一方、一階部分が同程度の小屋裏タイプの場合には、始めから２階建てで建築をすると２,１００万円の費用がかかるという見積もりがされている。これに対して、始めに補強された平屋建ての建物４２を建てた場合には、１６００万円プラス補強費用９０万円で、総工費１,６９０万円になる。そして、例えば１５年後に２階建てに改装工事を行うと、改装工事費用は５００万円で、当初の建築費用と合計すると２,１９０万円になる。
【００３１】
その結果、始めから２階建てで建築をした場合と、始めに補強された平屋建ての建物４２を建てた後に２階建てに改装工事をした場合とを比較すると、差額が９０万円になることが分かる。御神楽タイプと小屋裏タイプとを比較すると小屋裏タイプの改装工事費用は約半額である。御神楽タイプの場合、平屋建ての建物の屋根の一部を取り壊して２階部分を増設する工事になる。一方、小屋裏タイプの場合には、屋根工事が不要である。これが、改装工事費用の差として現れている。
【００３２】
図５（ｂ）は、小屋裏タイプの建物の別の効果を説明する比較表である。
小屋裏タイプの建物は、後で説明するように、一方に傾斜した白い屋根面を設けることができる。従って、その屋根面に効率の良い大面積の太陽光発電設備を取り付けることができる。例えば、１５年後に改装工事をするという計画の場合には、１５年間で得られた売電による利益を比較表に書き込む。この費用を改装費用に補填するという計算をする。
【００３３】
図５（ａ）の例では、始めから２階建てで建築をすると２,１００万円の費用がかかり、始めに補強された平屋建ての建物４２を建てた後に２階建てに改装工事をした場合の総工費は２１９０万円になるという見積もり計算であった。ここで、太陽光発電設備を取り付けると５００万円の設備費が追加になり、総工費は２６９０万円になる。
【００３４】
ここで、始めから２階建てで建築をした場合と、始めに補強された平屋建ての建物４２を建てて、１５年後に２階建てに改装工事をした場合とを比較すると、差額が５９０万円に広がる。一方、１５年間の売電による利益は１１００万円になる。その結果、５１０万円の利益が出るということがわかる。この利益を改装費用に補填することができるので、きわめて経済的な計画であるということを、施主に示すことができる。
【００３５】
上記のように、太陽光発電設備を取り付けて、将来の改装工事費用は売電によりまかなっても余りあるという計画を立てることができる。もちろん、屋根面積が十分に広ければ、お神楽タイプのものでも総２階構造のものでも、同様にして自家発電設備を取り付けることができる。その他の各種自然エネルギによる発電設備も、これが併設されていれば、同様の計算をすることができる。
【００３６】
図６は、第１〜第３の演算手段の具体的な動作フローチャートである。
ステップＳ１１では、第１の演算手段２６を起動する。ステップＳ１２では、間取りの指定処理をする。即ち、施主の希望する間取りを指定して、コンピュータ１０に入力する。ステップＳ１３では、この間取りを使用した、通常の平屋建ての建物１６の設計データ１８を生成する。ステップＳ１４では、この設計に基づいた建築費用の計算をする。
【００３７】
ステップＳ１５では、第２の演算手段４０を起動する。ステップＳ１６では、第１の演算手段２６により生成された設計データ１８の間取りを、１階部分３０の設計用として取得する。ステップＳ１７で、２階建ての建物の設計データ３４を生成する。ステップＳ１８では、この建物の建築費用の計算をする。
【００３８】
ステップＳ１９では、第３の演算手段５２を起動する。ステップＳ２０では、第２の演算手段４０により生成された設計データ３４から、１階部分３０の構造と仕様を取得する。ステップＳ２１では、この１階部分３０の構造と仕様に従って、補強された平屋建ての建物４２の設計データ４４を生成する。ステップＳ２２では、この補強された平屋建ての建物４２の建築費用の計算をする。
【００３９】
図７は、第４と第５の演算手段の動作フローチャートである。
ステップＳ３１では、第４の演算手段６０を起動する。ステップＳ３２では、第２の演算手段４０が生成した補強された平屋建ての建物４２の設計データ３４の取得をする。ステップＳ３３では、第３の演算手段５２が生成した２階建ての建物の設計データ４４を取得する。ステップＳ３４では、補強された平屋建ての建物４２を２階建ての建物に改装するために必要な工事の内容と、その改装工事費用を計算する。
【００４０】
ステップＳ３５では、第５の演算手段６６を起動する。ステップＳ３６では、第３の演算手段５２が生成した２階建ての建物の建築費用を、上記の計算結果から取得する。ステップＳ３７では、第２の演算手段４０が生成した補強された平屋建ての建物４２の建築費用を取得する。ステップＳ３８では、第４の演算手段６０が生成した改装工事の内容と改装工事費用を取得する。さらに、自家発電設備を取り付けることができる建物の場合には、ステップＳ３９で、自家発電設備の売電利益計算をする。そして、これらの結果をまとめた比較表５８の生成と出力をする。
【００４１】
次に、上記の結果を、改装工事をする時期まで記憶装置１４に保存する処理を実行する。まず、ステップＳ４１で、改装工事着手時期に応じた保存期間を指定する。少なくともこの日まで保存するという指定をすればよい。ステップＳ４２では、改装工事費用の演算式６４を取得する。改装工事をするときに、材料費や人件費等が変更になっていることがある。その再計算に利用するためである。ステップＳ４３では、この演算式６４と改装工事に必要な全ての設計データ１８、３４、４４を含む期間指定保存データ５４を生成して、指定した保存期間を表示して記憶装置１４に記憶させる。
【００４２】
図８の（ａ）は平屋建ての建物１６の側面図、（ｂ）は総２階建て構造の建物６８の側面図、（ｃ）はその横断面図である。
将来総２階建てに改装する場合も、はじめに、施主の希望に従って平屋建ての建物１６の間取りを設計する。図１（ａ）で説明した場合と同様である。そして、１階部分３２ｂにこの間取りを備え、２階部分３２ａを増築した、図８（ｂ）の総２階建て構造の建物６８を設計する。続いて、その１階部分３０ａの設計データを使用した補強された平屋建ての建物を設計する。この場合には、図８（ｃ）に示すように一階部分３０ａの全体に２階部分３２ａが乗るので、一階部分３０ａの全体を補強する設計になる。その後の手順は既に説明した例と同様である。
【００４３】
通常の平屋建ての建物の構造は、主に屋根荷重を計算しているため、２階を増築した際に階下にかかる荷重は考慮されていない。本発明では、設計段階で２階の増築を想定した構造計算を行ない、１階の柱や梁を補強しておく。そのため、２階を増築した場合も荷重を階下でしっかり支えることができ、万一の地震などにも優れた耐震性を確保できる。
【００４４】
しかも、暮らしの変化にあわせて平屋の増築を予定するこができ、容積率や斜線規制などを考慮しながら、２階を増築し。例えば、部分２階建て構造ならは、平屋の形状を活かしながら、必要な空間を効率よく増やすことができる。即ち、平屋の屋根を一部残し、バランスのとれた立体感も豊かに増築された部分２階建てを実現できる。
【００４５】
また、平屋を総２階建てに改装できれば、ゆとりある暮らしのスペースを生み出すことが可能になる。２世帯での暮らしを考慮して、家族が集うスペースも確保しやすくなる。また、平屋の小屋裏部分を大きく確保しておき、将来的にそこを改築して、２階居室を設けることも可能になる。この場合、屋根を架け替える必要が無いのが最大の効果になる。
【００４６】
また、部分２階建て構造、総２階建て構造、または小屋裏活用構造の建物は、いずれも、増築のために新たな敷地を必要としない。３階建て構造であっても同様である。即ち、土地を有効利用できるので、上記のような設計と演算処理と比較表の生成により、経済的で合理的な建設計画を施主に提示することができる。
【実施例２】
【００４７】
図９（ａ）は小屋裏活用構造の建物７２の側面図、（ｂ）は増築後の建物６８の側面図、（ｃ）はその横断面図である。
始めに図９（ａ）に示す構造の建物を建築する。その後、図９（ｃ）に示すように、１階部分３０ｂの上に２階部分３２ｂを増築する。即ち、１階部分３０ｂの間取り図を設計して、続いて補強された平屋建て構造を設計して、始めに図９（ａ）に示した建物を建築する。
【００４８】
ここで、この建物の改装工事の際には、工事開始と同時に外壁８４にベランダ８８を取り付ける。改装工事担当者は、このベランダ８８の開口８６を利用して建物の内部に出入りできる。さらに改装工事のための資材も開口８６を通じて運び込むことができる。従って、工事中も、この建物の居住者の生活を妨げない。即ち、改装後の建物の外壁８４の、２階に相当する部分に、改装工事の完工後に窓として使用される開口８６を設ける。開口８６として、例えば、バルコニーは工事用の足場として使用できる。その窓や掃き出し窓から資材を搬入できる。こうして、工事中の居住者の一時転居が不要になるという大きな効果が期待できる。
【００４９】
図１０は、小屋裏活用構造の建物７２の縦断面図で、（ａ）は改装前、（ｂ）は改装後のものである。
この図のように、小屋裏活用構造の建物７２は、屋根７６の葺き替え工事無しに２階部分３２ｂを改装する。そのために、図の（ｂ）に示すように、当初から２メートル以上の天井高８０を必要とする。この小屋裏空間８２の高さや広さは、法規制をクリアし、さらに増築計画をもとにして適正値に選定するとよい。
【００５０】
片流れの大きな屋根の小屋裏を改築して、２階に窓とバルコニーを新たに設置して子ども部屋を設けるといったプランでは、広い屋根面積を確保できるので太陽光発電に利用できるといった効果がある。また当初の建築計画で、補強をしない場合と、２階建てを予定して補強をした場合の見積もり比較より、予算に合った選択が行えるという効果がある。しかも、その演算式や２階建て構造の設計データを残しておくことにより、改装工事の際の設計や費用算出手間の削減が図れる。
【００５１】
なお、上記の演算処理装置で実行されるコンピュータプログラムは、機能ブロックで図示した単位でモジュール化されてもよいし、複数の機能ブロックを組み合わせて一体化されてもよい。また、上記のコンピュータプログラムは、既存のアプリケーションプログラムに組み込んで使用してもよい。本発明を実現するためのコンピュータプログラムは、例えばＣＤ−ＲＯＭのようなコンピュータで読み取り可能な記録媒体に記録して、任意の情報処理装置にインストールして利用することができる。
【符号の説明】
【００５２】
１０  コンピュータ
１２  演算処理装置
１４  記憶装置
１６  平屋建ての建物
１８  設計データ
２６  第１の演算手段
３０  １階部分
３２  ２階部分
３４  設計データ
４０  第２の演算手段
４２  補強された平屋建ての建物
４４  設計データ
５２  第３の演算手段
５４  期間指定保存データ
５８  比較表
６０  第４の演算手段
６２  出力手段
６３  プリンタ
６４  演算式
６６  第５の演算手段
６８  総２階建て構造の建物
７０  部分２階建て構造の建物
７２  小屋裏活用構造の建物
７４  階段増設用区画
７６  屋根
８０  天井高
８２  小屋裏空間
８４  外壁
８６  開口
８８  ベランダ
９０  自家発電設備
【図１】
2016130988.tif 000003
【図２】
2016130988.tif 000004
【図３】
2016130988.tif 000005
【図４】
2016130988.tif 000006
【図５】
2016130988.tif 000007
【図６】
2016130988.tif 000008
【図７】
2016130988.tif 000009
【図８】
2016130988.tif 000010
【図９】
2016130988.tif 000011
【図１０】
2016130988.tif 000012